(57)【要約】  この構造体は、部分的に開いており、その内部の収容部は、制御された搬入搬出口（２ａ）によってボトル（１０）を収容可能な、ハウジングを形成する。制御は、このように、上記クランプ（５）の分離位置に達するまで、それらを分離しようとする、特定の弾性手段（４ｂ）の効果を相殺しながら、それらを組み合わせ状態に保つ、拘束ロック（３ｃ）によって締結手段（４）が互いに対向する、ネッククランプ（５）付きのロック装置（３）によって達せられる。制御回路（１２）によって、固定装置（３）は、作動され、且つ、拘束ロック（３ｃ）は、締結手段（４）を開いて、クランプ（５）を分離して、ハウジング（２）から取り除かれ得るボトル（１０）のネック部（１０ａ）を開放することを、可能とする。
2013542769.tif 000002
【特許請求の範囲】
【請求項１】
本体がネック部を含む単一のボトルを、収容するように意図され、且つ、ボトル詰め製品の供給用の制御された、一連のアクセス構造体の、寄せ集め配置であって、
少なくとも部分的に開いて、その内部の収納部を示す、少なくとも１つの構造体と、
そのような内部の収容部に形成されるような、ボトルを保持可能な、ハウジングと、
前記ハウジングへの、ボトルの、搬入搬出口と、を備え、
前記ハウジングは、
ボトル用の前記搬入搬出口が、固定装置によって、制御され、
そのような固定装置は、ネッククランプを、備え、
そのようなネッククランプは、それらを拘束するロックの作動により通常は抵抗する、１組の締結装置を、含み、
前記拘束するロックは、前記クランプの分離位置に達するまで、前記締結手段を分離しようとする弾性手段の効果に抵抗しながら、前記ネッククランプを組み合わせ状態に保ち、
前記クランプの前記締結手段は、共通のピボット点でつながれた、対応するクラス２レバーを、備えている、
ことを特徴とする、ボトル詰め製品の供給用の制御された、一連のアクセス構造体の、寄せ集め配置。
【請求項２】
前記締結手段を通常は拘束する、前記ロックは、電磁式である、
請求項１記載のボトル詰め製品の供給用の制御された、一連のアクセス構造体の、寄せ集め配置。
【請求項３】
前記締結手段を通常は拘束する、前記ロックは、空気圧式である、
請求項１記載のボトル詰め製品の供給用の制御された、一連のアクセス構造体の寄せ集め配置。
【請求項４】
前記電磁式のロックは、組み合わされたクランプに整列される、対応する締結手段の開口を横断するように、設けられた部材を、備えている、
請求項２記載のボトル詰め製品の供給用の制御された、一連のアクセス構造体の、寄せ集め配置。
【請求項５】
前記電磁式のロックは、対応する締結手段の開口を横断するように通常は動かす、弾性手段の影響の下、前記クランプの分離位置におけるそのような開口の不一致により、保持されて、且つ、不活動的に保たれる、部材を、備えている、
請求項２記載のボトル詰め製品の供給用の制御された、一連のアクセス構造体の、寄せ集め配置。
【請求項６】
信号伝達手段を備えている、
請求項１記載のボトル詰め製品の供給用の制御された、一連のアクセス構造体の、寄せ集め配置。
【請求項７】
前記信号伝達手段は、少なくとも１つの表示灯を、備えている、
請求項１記載のボトル詰め製品の供給用の制御された、一連のアクセス構造体の、寄せ集め配置。
【請求項８】
前記信号伝達手段は、タイマー手段を有する、回路を、備えている、
請求項６記載のボトル詰め製品の供給用の制御された、一連のアクセス構造体の、寄せ集め配置。
【請求項９】
電気／電子回路を備えている、
請求項１記載のボトル詰め製品の供給用の制御された、一連のアクセス構造体の、寄せ集め配置。
【請求項１０】
前記回路は、前記電磁式のロックを制御する、作動段階を、有している、
請求項９記載のボトル詰め製品の供給用の制御された、一連のアクセス構造体の、寄せ集め配置。
【請求項１１】
前記回路は、前記信号伝達手段を制御する段階と、タイマー手段と、を有している、
請求項９記載のボトル詰め製品の供給用の制御された、一連のアクセス構造体の、寄せ集め配置。
【請求項１２】
前記電気／電子回路は、幾つかの同様のユニットを制御するように、設けられている、
請求項９記載のボトル詰め製品の供給用の制御された、一連のアクセス構造体の、寄せ集め配置。
【請求項１３】
前記電気／電子回路は、
電源と、
データの、受信送信段階と、
信号伝達段階及び作動段階用の、主データ処理段階及び制御信号生成段階と、を備え、
前記信号伝達段階は、前記ハウジングの信号伝達手段を制御しながら、前記主処理段階によって指示され、
前記作動段階は、前記ハウジングのロックの作動手段を制御しながら、前記主処理段階によって指示される、
請求項９記載のボトル詰め製品の供給用の制御された、一連のアクセス構造体の、寄せ集め配置。
【請求項１４】
対応する固定装置を含んだ、複数のハウジングを、備えている、
請求項１記載のボトル詰め製品の供給用の制御された、一連のアクセス構造体の、寄せ集め配置。
【請求項１５】
複数のハウジングを、個別に又はグループとしての、どちらか一方で、制御する回路を、備えている。
請求項１〜１４のいずれか１つに記載のボトル詰め製品の供給用の制御された、一連のアクセス構造体の、寄せ集め配置。
【発明の詳細な説明】
【技術分野】
【０００１】
本発明は、生活における現在の必要性の分野に関し、特に、商品の流通用の、構造体及び装置に関する。より詳しくは、ボトルネック部をクランプする固定装置によって、そのようなボトルの、制御された自動的な、供給及び販売を可能にする、ボトル詰め製品の供給用の制御されたアクセス構造体に関する。
【背景技術】
【０００２】
今日に至るまで、他の装置が、特許番号ＵＳ２００４／０２３２０９２Ａ１及びＥＰ００１７４１７Ａ１のように知られている。これらの装置は、ボトルをそれぞれのハウジングから取り出される必要があるたびに、完全に取り除かれなければならない、全てのハウジングに共通した固定構造体を、備えている。
【０００３】
ボトルのハウジングが、容易に開放されて、且つ、そのようなハウジングからボトルが取り除かれるのを妨げない、リーシュ（leashes）付きの環状部に基づいた、耐震固定システムを、提供する、特許番号ＵＳ２００５／０２６３４７１Ａ１によって開示された装置も知られている。
【０００４】
システムが非常に複雑であり、且つ、同じ列の全てのハウジングを同時に開放することをただ可能にするだけの、特許番号ＧＢ１４３８８２３によって開示された、飲料及び／又は食糧を販売する自動販売機も知られている。
【先行技術文献】
【特許文献】
【０００５】
【特許文献１】米国特許第２００４／０２３２０９２Ａ１号
【特許文献２】欧州特許第００１７４１７Ａ１号
【特許文献３】米国特許第２００５／０２６３４７１Ａ１号
【特許文献４】英国特許第１４３８８２３号
【発明の概要】
【発明が解決しようとする課題】
【０００６】
本発明の目的は、目の肥えた消費者のために、最高状態のワインのような飲料の販売を、可能とすることである。
【課題を解決するための手段】
【０００７】
ここに明示された目的のために、本体がネック部を含む、単一のボトルを収容するように意図され、且つ、ボトル詰め製品の供給用の制御された、アクセス構造体であって、少なくとも部分的に開いて、その内部の収容部を人目にさらす、構造体と、そのような内部の収容部に形成されるような、ボトルを保持可能な、ハウジングと、前記ハウジングへの、ボトルの、搬入搬出口と、を備え、ボトルの、前記搬入搬出口は、固定装置によって制御され、そのような固定装置は、ネッククランプを、備え、そのようなネッククランプは、それらを拘束するロックの作動により、通常は対向する１組の締結手段を、含み、前記クランプの分離位置に達するまで、前記締結手段が分離しようとする、影響の下、弾性手段の効果に抵抗しながら、前記ロックは、前記クランプを組み合わせた状態に保つことを特徴とする。
【発明の効果】
【０００８】
利点は、本構造体は、幾つかのユニットのグループに、又は、ラック又は各モジュール構造が独自の固定手段を備えた備品の要素として、寄せ集められてもよい。上記は、使用されるハウジングに隣接したハウジングの不要な開口を防止するために、非常に重要である。
【０００９】
他の利点は、本構造体が、ボトルネックのみに作用する、クランプ付きの固定装置に基づいていることである。したがって、ボトルの残量が、消費者によって構造要素を通して、視認されることを、可能にする。
【００１０】
他の利点は、ロックが開放されるときに、忠実な作動の第２弾性手段の存在により、クランプ締結手段が早急に開放することである。
【００１１】
他の利点は、固定部材が開放されるときに、電磁式のロックは、処理回路をただ必要とするだけであることである。その後、前記部材は、保持されて、固定用開口部の不一致により不活動的に保たれる。固定用開口部が整列されて、前記固定部材が第１弾性手段によって動かされて入ることを可能にする位置に達するように、オペレータが締結手段を動かすとき、前記部材はその固定用位置にただ戻るだけである。
【００１２】
他の利点は、全てのハウジングは、次の２つの実用的な効果を備えた、独自の信号伝達手段を提供することである。一方は、彼／彼女の商品を取り出すために、購入が実行されると、特定のハウジング上の位置情報を、消費者に、提供することである。他方は、補充が要求されるときに、棚補充者によって補充される必要があるハウジングを、識別することを可能にすることである。
【００１３】
他の利点は、構造体の全ての固定手段及び信号伝達手段の集中操作を可能にする、制御回路を、備えていることである。
【００１４】
他の利点は、制御回路が１つ以上の構造体に用いられもてよく、他の構造体でさえ、元々存在するものに、加えられてもよいことである。
【図面の簡単な説明】
【００１５】
【図１】その対応するハウジング内のボトルと、前記ボトルネック部周りにクランプを形成する固定装置と、を示す本装置の斜視図である。
【図２】ハウジング内にボトルがなく、既に組み合わされた固定装置付きの、本装置の斜視図である。
【図３】ＡとＢとを含む。  図Ａは、クランプを形成する固定装置が示された、本装置の搬入搬出口の上方前面図である。  図Ｂは、固定装置が分離された状態で、第２弾性手段の効果により締結手段が開いた状態を示す、本装置の搬入、搬出口の上部前面図である。
【図４】ＡとＢとを含む  図Ａは、既に組み合わされ、詳細がよりわかるように構造体の外にある、固定装置の斜視図である。  図Ｂは、既に分離され、且つ、構造体の外にある、固定装置の斜視図である。
【図５】構造体の外であって、ボトルのネック部周りのクランプ組立体を、示す、固定装置の斜視図である。
【図６】ＡとＢとＣとを含む。  図Ａは、電磁部材が、第１弾性部材の作動によって通常は動かされる位置で、固定用開口部を貫通する、ロックを形成する、締結手段の部分断面図である。  図Ｂは、第１弾性部の張力が電磁石の効果に圧倒されるときに、どのようにして、電磁部材がロックを引っ込めるように開放するかを示し得る、締結手段の他の部分断面図である。  図Ｃは、どのようにして、そのような手段の回転動作が、固定用開口部を不一致にし、それにより、電磁部材が引っ込められて、ロックが分離されるかを示し得る、締結手段の他の部分断面図である。
【図７】その考えられる実施形態の１つにおける、制御回路の概略図である。
【図８】どのようにして、上部左構造体が、点灯された信号伝達手段付きの、分離された態様における固定装置を、備えているかを示し得る、一連の構造体の、寄せ集め配置の上部前面図である。
【発明を実施するための形態】
【００１６】
本発明の目的は、限定なしに、具体例として与えられた、好適な実施形態の１つを示す、これらの図から良く理解されるだろう。
【００１７】
異なる図面において、類似の参照番号及び／又は文字は、類似の又は対応する部品を、参照する。
【００１８】
一般的に言えば、本発明は、部分的に開口しており、且つ、その内部収容部が、ネッククランプ（５）付きの固定装置（３）によって制御された、搬入搬出口によって、単一のボトル（１０）を保持可能なハウジングを、形成する、ボトル詰め製品の供給用の制御されたアクセス構造体に関し、その締結手段（４）は、それらを組み合わせ状態に保ち、その結果、上述したクランプ（５）の分離位置に達するまで、それらを分離しようとする、特定の弾性手段（４ｂ）の効果に抵抗する、拘束ロック（３ｃ）によって、対向する位置にある。
【００１９】
もっと詳しく言うと、制御されたアクセス構造体は、如何なるボトル詰め製品の制御された販売をも、対象とする。
【００２０】
本構造体（１）は、制御されたアクセス開口部（２ａ）を通して、ボトル（１０）の搬入及び搬出をただ可能にするだけの、構造要素（１ａ）を、備えている。前記構造体（１）は、多かれ少なかれ、閉じられていても良いが、一般に、内部に保たれたボトル（１０）の、少なくとも特に、展示又は可視化を可能にする。それ故に、次の構造体（１）も適当である。スケルトン構造体、ラック、木製の構造体他。
【００２１】
このように、上述した構造要素（１ａ）は、ボトル（１０）を保持可能なハウジング（２）を形成する内部収容部の境界を、画定する。本構造体（１）は、あるいは、複数の類似の構造体（１）を寄せ集めることによる、又は、複数の別々の構造体（１）を備える設備又は棚のような、完全な構造体の構造による、モジュール式の構造（１）であることが、予見される。
【００２２】
次に、搬入及び搬出口（２ａ）は、開いて、ハウジング（２）からボトル（１０）を取り除くことを可能にする、電磁式の固定装置（３）の存在によって制御される。
【００２３】
この固定装置（３）は、ハウジング（２）内に保たれたボトル（１０）のボトルネック部（１０ａ）周りに組み合わせられるクランプ（５）を、備えている。クランプ（５）は、通常は対向する位置に配置された、特定の締結手段（４）の凹端部（４ｃ）で、組み合わせられる。
【００２４】
これらの締結手段（４）は、構造体（１）の構造支持（６）に組み付けられた、ピボット部材（４ｄ）によって関連付けられた、２つの回転するアームを、備えている。ロックを作るために、これらの締結手段（４）は、対応する固定用開口部（４ａ）を備え、それらは、クランプ（５）が組み合わされるときに、整列されるようになる。固定用開口部（４ａ）におけるそのような整列を成し遂げるために、前記締結手段（４）は、前記弾性手段によって影響されながら、その端部（４ｃ）の開き位置、又はクランプ（５）の分離に達するまで、互いに分離しようとするので、弾性手段（４ｂ）（例えば、コイルスプリング又は他の類似手段）の効果は、相殺され、又は、圧倒されるべきである。
【００２５】
さらに、固定開口（４ａ）の整列は、固定装置（３）の作動を可能にする。後者（３）は、締結手段（４）の開きが妨げられる点に至るまで、前記固定用開口部（４ａ）を貫通可能な、部材（３ｃ）を、備えている。一実施形態においては、前記部材（３ｃ）は、通常はそれを固定位置に動かす、第１弾性手段（３ａ）の影響の下にある。ロックを分離するために、この部材（３ｃ）は、電気及び／又は電子回路（１２）の作動段階（１７）に接続された、電磁手段（３ｂ）、例えば、電磁石（３ｂ）によって、引っ込められる。
【００２６】
他の実施形態において、固定装置（３）は、空圧式であり得る。この場合、部材（３ｃ）は、空圧回路及びその対応するバルブ手段によって得られる空圧動作によって、引っ込められる。
【００２７】
電気／電子回路（１２）及び空圧回路は、両方とも、複数の構造体（１）を制御するように設計されてもよい。
【００２８】
固定装置（３）が、開放され、ボトル（１０）の搬入及び搬出が可能である、構造体（１）を識別可能とする、ＬＥＤ（７ａ）のような信号伝達手段（７）の使用も、予見される。
【００２９】
一実施形態において、上述した電気／電子回路（１２）は、電源（１４）と、データ受信送信段階（１５）と、主データ処理段階（１３）と、制御信号生成段階と、信号伝達段階（１６）と、作動段階（１７）と、を備えても良い。
【００３０】
データ受信送信段階（１５）は、回路（１２）へのデータ通信と、回路（１２）からのデータ通信と、を制御する機能を、実行する。主処理段階（１３）は、受信データの処理と、信号伝達（１６）及び作動（１７）段階用の制御指示の生成と、を可能にする。
【００３１】
信号伝達段階（１６）は、主処理段階（１３）によって指示されて、構造体（１）に存する信号伝達手段（７）を、制御する。最後に、作動段階（１７）も、主処理段階（１３）によって指示されて、ロックの作動手段の制御を、可能にする。
【００３２】
信号伝達手段（７）及び/又は固定装置（３）と共に作動する、タイマー手段の可能性が予見される。
【００３３】
（組立体の作動）
固定装置（３）が稼働中であるときに、締結手段（４）の端部（４ｃ）が、対向する位置に在り、ハウジング（２）に保たれたボトル（１０）のボトルネック部（１０ａ）周りにクランプ（５）を形成できるように、隣接するように配置されている。これらの状況の下、締結手段（４）の固定用開口部（４ａ）は整列されて、ロックを組み合わせに保つ部材（３ｃ）によって、横断される。
【００３４】
作動段階（１７）は、固定装置（３）の電磁石（３ｂ）を作動させる、制御回路（１２）によって、電力が供給されても良い。したがって、固定部材（３ｃ）は、第１弾性手段（３ａ）の張力に打ち勝ち、前記電磁石（３ｂ）によって動かされて、固定用開口部（４ａ）におけるその位置から、外れる。その結果、締結手段（４）は、クランプ（５）を分離し、ハウジング（２）から取り除かれ得るボトル（１０）のボトルネック部（１０ａ）を開放する、第２弾性手段（４ｂ）の効果により、開かれる。
【００３５】
したがって、締結手段（４）は、たとえ、共通のピボット点（４ｄ）につながれ、且つ、クランプ（５）を形成する端部（４ｃ）によって作用が与えられ、且つ、第２弾性手段（４ｂ）の固定によって抵抗が引き起こされる、クラス２レバーであったとしても、締結手段（４）が作動する。
【００３６】
固定装置（３）の分離された状態を指し示しながら、点灯されたＬＥＤ（７ａ）のような信号伝達手段（７）は、固定装置（３）の作動と同時に作動させる。これは、たくさんの構造体（１）が内部にボトル（１０）をそれぞれ有しながら寄せ集められた状況にとって、特に重要である。これらの状況の下、信号伝達手段（７）は、すでに点灯して、彼／彼女がボトル（１０）を取り出し得る構造体（１）をユーザが識別するのに、特に有用である。
【００３７】
タイマー手段（１１）の存在は、信号伝達手段（７）の作動時間を制限することを、可能にする。
【００３８】
疑う余地なく、本発明が実現されると、特許請求の範囲に明らかに画定されるような基本的な原理から逸脱することなく、いくつかの変形が、構造物及び構造の詳細に関して導入されてもよい。
【符号の説明】
【００３９】
１      構造体
１ａ    構造体（１）の構造要素
２      ハウジング
２ａ    ハウジング（２）の搬入搬出口
３      電磁式の固定装置
３ａ    固定装置（３）の電磁石（３ｂ）の第１弾性手段（固定用開口部（４ａ）において、固定位置に固定手段（３ｃ）を通常は動かす）
３ｂ    電磁石
３ｃ    固定用の、部材又はロッド
４      締結手段
４ａ    締結手段（４）上の固定用開口部
４ｂ    締結手段（４）上の第２弾性手段（互いに開き又は分離して、その抵抗力がクランプを組み合わせるために打ち勝つべく、締結手段（４）を駆動する）
４ｃ    凹端部
４ｄ    締結手段（４）のピボット部材（支持点）
５      ネッククランプ
６      締結手段（４）の構造支持
７      信号伝達手段
７ａ    信号伝達手段（７）の表示灯
１０    ボトル
１０ａ  ボトルネック部
１１    タイマー手段
１２    電気／電子回路
１３    主処理段階
１４    電源
１５    データ受信送信段階
１６    信号伝達段階
１７    作動段階
【図１】
2013542769.tif 000003
【図２】
2013542769.tif 000004
【図３Ａ】
2013542769.tif 000005
【図３Ｂ】
2013542769.tif 000006
【図４Ａ】
2013542769.tif 000007
【図４Ｂ】
2013542769.tif 000008
【図５】
2013542769.tif 000009
【図６Ａ】
2013542769.tif 000010
【図６Ｂ】
2013542769.tif 000011
【図６Ｃ】
2013542769.tif 000012
【図７】
2013542769.tif 000013
【図８】
2013542769.tif 000014
【国際調査報告】
2013542769.tif 000015
2013542769.tif 000016
2013542769.tif 000017